(57)【要約】【課題】本発明は、簡単な構造で取り付け作業が容易であるキャビネットの取り付け構造を提供することを目的としている。【解決手段】本発明に係るキャビネットの取り付け構造は、コンクリート打設前に露出している配筋に引っ掛け可能である取り付け金具をキャビネット背面に固定しており、取り付け金具は、配筋にキャビネットを支持させる支持片と、配筋にキャビネットを固定させる固定部とを形成することで取り付け作業を容易にしたことを特徴とする。【選択図】図１
2009171765.tif 000002
【特許請求の範囲】
【請求項１】
コンクリート造りの壁面に埋め込んで取り付けられ、各種機器を収納するキャビネットの取り付け構造において、コンクリート打設前に露出している配筋に引っ掛け可能である取り付け金具を前記キャビネット背面に固定しており、前記取り付け金具は、前記配筋に前記キャビネットを支持させる支持片と、前記配筋に前記キャビネットを固定させる固定部とを形成することを特徴とするキャビネットの取り付け構造。
【請求項２】
前記取り付け金具の前記支持片と前記固定部とを、前記取り付け金具の上下方向に設け、キャビネットの上側と下側に位置する配筋に引っ掛け可能とすることを特徴とする請求項１に記載のキャビネットの取り付け構造。
【請求項３】
前記取り付け金具の前記支持片は、前記配筋の前側と後側とから前記配筋を挟み込む形状で、前記配筋に前記支持片を挟み前記取り付け金具の動きを規制することを特徴とする請求項１及び請求項２に記載のキャビネットの取り付け構造。
【請求項４】
前記取り付け金具の前記固定部は、断面略Ｕ字状にフック部を形成し、該フック部近傍にねじ穴を設け、前記フック部を前記配筋に引っ掛け、前記ねじ穴にねじを挿通し締め付け前記取り付け金具を前記配筋に固定することを特徴とする請求項１及び請求項２に記載のキャビネットの取り付け構造。
【請求項５】
前記取り付け金具の前記支持片と前記固定部とを、前記取り付け金具の左右方向に設け、キャビネットの左右に位置する配筋に引っ掛け可能とすることを特徴とする請求項１に記載のキャビネットの取り付け構造。
【発明の詳細な説明】
【技術分野】
【０００１】
本発明は、コンクリート造りの壁面に埋め込んで取り付けられ、各種機器を収納するキャビネットの取り付け構造に関するものである。
【背景技術】
【０００２】
従来、キャビネットをコンクリート造りの壁面に埋め込んで取り付ける場合の方法として、以下のようなものがあった。キャビネットの背面には、板材と鋼線とを組み合わせた取り付け金具を設けていた。コンクリート造りの壁面のコンクリートを打設する前に露出している配筋に鋼線を這わせて巻きつけるように曲げ、キャビネットを固定していた。
【非特許文献１】未来工業株式会社カタログ、[online]、[平成１９年１２月２５日検索]、インターネット
【発明の開示】
【発明が解決しようとする課題】
【０００３】
しかしながら、上記キャビネットの取り付け方法では、鋼線を折り曲げる作業が力のいる作業であり、配筋に巻きつけることが難しかった。また、キャビネットの傾き調整が行えるが、一旦取り付けたキャビネットの位置調整を行うためには、一度曲げた鋼線を伸ばしてまた曲げ直さなくてはならず、作業がしづらかった。
【課題を解決するための手段】
【０００４】
そこで本発明は、簡単な構造で取り付け作業が容易であるキャビネットの取り付け構造を提供することを目的とし、その構造は、コンクリート打設前に露出している配筋に引っ掛け可能である取り付け金具をキャビネット背面に固定しており、取り付け金具は、配筋にキャビネットを支持させる支持片と、配筋にキャビネットを固定させる固定部とを形成することを特徴とする。
【０００５】
また、取り付け金具の支持片と固定部とを、取り付け金具の上下方向に設け、キャビネットの上側と下側に位置する配筋に引っ掛け可能とすることを特徴とする。
【０００６】
また、取り付け金具の支持片と前記固定部とを、取り付け金具の上下方向に設け、キャビネットの上側と下側に位置する配筋に引っ掛け可能とすることを特徴とする。
【０００７】
また、取り付け金具の固定部は、断面略Ｕ字状にフック部を形成し、フック部近傍にねじ穴を設け、フック部を配筋に引っ掛け、ねじ穴にねじを挿通し締め付け取り付け金具を配筋に固定することを特徴とする。
【０００８】
また、取り付け金具の支持片と固定部とを、取り付け金具の左右方向に設け、キャビネットの左右に位置する配筋に引っ掛け可能とすることを特徴とする。
【発明の効果】
【０００９】
本発明に係るキャビネットの取り付け構造は、コンクリート打設前に露出している配筋に引っ掛け可能である取り付け金具をキャビネット背面に固定しており、取り付け金具は、配筋にキャビネットを支持させる支持片と、配筋にキャビネットを固定させる固定部とを形成するため、折り曲げ作業が不要であり、取り付け作業が容易に行える利点がある。
【発明を実施するための最良の形態】
【００１０】
本発明に係るキャビネットの取り付け構造の実施例を図の添付図面に基いて説明する。
【００１１】
本発明は、コンクリート造りの壁面に、表面部分のみを露出して箱体部分をコンクリートに埋め込んで取り付けられるキャビネット１の取り付け構造に関する。図４に示すように、コンクリート造りの壁面は、コンクリート打設前には配筋２が露出した状態である。本発明は、この配筋２を用いてキャビネット１を壁面に取り付ける構造である。
【００１２】
請求項１において、キャビネット１を壁面に固定するには、キャビネット１の、壁面に埋め込まれる部分である背面１ａに取り付け可能である、取り付け金具３を用いる。取り付け金具３には固定部４と支持片５とキャビネット取り付け部６とを形成している。支持片５を配筋２に引っ掛け取り付け金具３を仮に支持させ、固定部４も配筋２に引っ掛け、キャビネット１を仮の固定位置に配置する。
【００１３】
請求項２において、請求項１に記載の取り付け金具３に形成される固定部４と支持片５とを、取り付け金具３の上下にそれぞれ形成している。支持片５をキャビネット１の下側に配設されている配筋２に引っ掛け取り付け金具３を仮に支持させ、キャビネット１を少し持ち上げて固定部４はキャビネット１の上側に配設されている配筋２に引っ掛けキャビネット１を仮の固定位置に配置する。
【００１４】
請求項３において、請求項１と請求項２に記載の取り付け金具３に形成されている支持片５は、三又に形成され、取り付け金具３を配筋２に引っ掛けるときに、支持片５が配筋２の前側と後側に互い違いになり、配筋２を挟み込むようになるような形状である。取り付け金具３の支持片５を配筋２に引っ掛けたときに、取り付け金具３の仮止めがなされる。
【００１５】
請求項４において、請求項１と請求項２に記載の取り付け金具３に形成される固定部４には、断面略Ｕ字状のフック部７を設ける。フック部７は弾性により広げることが可能であり、配筋２に引っ掛けるときに撓み、取り付け金具３の取り付け状態では配筋２を挟持する形状となっている。また、固定部４にはねじ穴８を設け、ねじ穴８にねじ９を挿通し締め付けることで、配筋２に取り付け金具３を固定するものである。
【００１６】
キャビネット１と取り付け金具３との固定方法について説明する。キャビネット背面１ａには、取り付け穴１０が設けられる。取り付け金具３のキャビネット取り付け部６には、固定穴１２が設けられ、固定穴１２には、ねじ穴を対向させてナット１１が取り付けられている。取り付け穴６に固定穴１２を対向させてキャビネット１を配置し、キャビネット１内側からねじ１３を挿通し、ねじ１３とナット１１によって固定する。作業手順は、特に限定されるものではなく、キャビネット１を取り付け金具３に固定してから配筋２に取り付けても、取り付け金具３を配筋２に取り付けてからキャビネット１を固定してもよい。
【００１７】
請求項５において、図５に示すように、取り付け金具１４の支持片１５を取り付け金具１４の左右方向に形成する。取り付け金具１４の左右の配筋に挟持させ固定して用いる。キャビネット１６の取り付け金具１４への固定は、取り付け金具１４のキャビネット取り付け部１７に複数の固定穴１８を設け、この固定穴１８を用いてねじ止めにて固定する。
【００１８】
キャビネットを取り付け金具に固定したときに、キャビネットが回転しないように、複数ヶ所でねじ止めすることもできる。また、固定手段は、ねじ止めに限定するものではなく、突起等にを形成して係合させて固定する方法もある。
【００１９】
キャビネットに取り付け金具を固定するねじは、ドライバー等の工具を用いて締め付けるねじに限定されるものではなく、手で締め付け作業が行える蝶ねじを用いることもできる。本発明に係るキャビネットの固定構造は本発明の趣旨を逸脱しない範囲において適宜変更可能である。
【図面の簡単な説明】
【００２０】
【図１】キャビネットと取り付け金具を示す説明図である。
【図２】キャビネットと取り付け金具とを固定する作業を示す説明図である。
【図３】取り付け金具を配筋に取り付ける作業を示す説明図である。
【図４】キャビネットとを取り付け金具を介して配筋に取り付けた状態を示す説明図である。
【図５】請求項５におけるキャビネットと取り付け金具を示す説明図である。
【符号の説明】
【００２１】
１    キャビネット
１ａ  背面
２    配筋
３    取り付け金具
４    固定部
５    支持片
６    キャビネット取り付け部
７    フック部
８    ねじ穴
９    ねじ
１０  取り付け穴
１１  ナット
１２  固定穴
１３  ねじ
１４  取り付け金具
１５  支持片
１６  キャビネット
１７  キャビネット取り付け部
１８  固定穴
【図１】
2009171765.tif 000003
【図２】
2009171765.tif 000004
【図３】
2009171765.tif 000005
【図４】
2009171765.tif 000006
【図５】
2009171765.tif 000007